(57)【要約】【課題】薬液容器の破損防止と針無注射器及び薬液容器の一体管理ができ、持ち運びの容易な全長の短い噴射式注射器セットを提供する。【解決手段】針無注射器１とキャップ状の容器ホルダー３とからなり、容器ホルダー３には、容器収容室１０と注射器嵌合室１１とが並設されていて、薬液バイアル３０が容器収容室１０に装填保持され、注射器嵌合室１１に注射器先端部７がネジ込まれて針無注射器１と容器ホルダー３が一体結合される構成を備え、薬液バイアル３０は容器収容室１０で保護され、保管中や持ち運び中は針無注射器１と容器ホルダー３が結合状態で一体管理される。【選択図】      図１
2004321579.tif 000002
【特許請求の範囲】
【請求項１】
薬液を噴射するジェット噴射口を注射器先端部の突端に備えた噴射式の針無注射器と、注射する薬液を入れてある薬液バイアルを装填保持する容器ホルダーとからなり、前記容器ホルダーには、隔壁をはさんで並設された、薬液バイアル全体を収容する容器収容室と、注射器先端部が嵌まり込む注射器嵌合室と、前記薬液バイアルの薬液を貯留しておく副室と、嵌合された針無注射器のジエット噴射口と副室に通じる細孔通路が形成されるとともに、前記薬液バイアルの薬液を前記副室に供給する中空針が設けられていることを特徴とする噴射式注射器セット。
【請求項２】
薬液を噴射するジェット噴射口を注射器先端部の突端に備えた噴射式の針無注射器と、注射する薬液を貯留しておく容器ホルダーとからなり、前記容器ホルダーには、前記注射器先端部が嵌まり込む注射器嵌合室と、隔壁をはさんで前記注射器嵌合室の上部に配設された薬液を貯留しておく薬液貯留室と、嵌合された針無注射器のジェット噴射口と前記薬液貯留室に通じる細孔通路が形成されていることを特徴とする噴射式注射器セット。
【請求項３】
薬液を噴射するジェット噴射口を注射器先端部の突端に備えた噴射式の針無注射器と、注射する薬液を入れてある薬液バイアルを装填保持する容器ホルダーとからなり、前記針無注射器と容器ホルダーは、折畳み可能なようにちょうつがいで接続したことを特徴とする噴射式注射器セット。
【発明の詳細な説明】
【０００１】
【発明の属する技術分野】
本発明は、薬液をジェット噴射して皮下注射する噴射式の針無注射器と、前記針無注射器及び薬液を保持する容器ホルダーを一体管理可能な噴射式注射器セットに関し、特に全体長が短く、持ち運びの容易な噴射式注射器セットに関する。
【０００２】
【従来の技術】
従来の噴射式注射器セットは、図８に示すように、針無注射器１と、この針無注射器１と薬液バイアル３０を収容するキャップ状の容器ホルダー２（例えば、特許文献１参照。）からなり、前記容器ホルダー２には、薬液バイアル３０を収容する容器収容室１０と針無注射器１を嵌合保持する注射器嵌合室１１とが設けられていて、薬液バイアル３０が容器収容室１０に装填保持され、注射器嵌合室１１に注射器先端部７がねじ込まれて針無注射器１が容器ホルダー２と連結される構成を備えており、薬液バイアル３０は容器収容室１０で保護されて薬液バイアル３０の破損が確実に防止できる上、保管中は針無注射器１と容器ホルダー２が連結状態で一体管理され、この状態で薬液の吸入ができ、薬液バイアル３０と針無注射器本体が別々に保存されている場合に比べて、それぞれの蓋を外して取り扱う必要がなく、操作が簡単になる利点を備えている。
【０００３】
【特許文献１】
特開平１１−１８８０９５号公報
【０００４】
【発明が解決しようとする課題】
従来の噴射式注射器セットの容器ホルダーでは、薬液バイアルを針無注射器のノズルに向き合うように収納していたため、収納したときの全体長が長くなり持ち運びが不便であるという欠点があった。
【０００５】
本発明は、このような事情に鑑みて成されたものであり、針無注射器を収納したときの全長が短く、持ち運びの容易な噴射式注射器セットを提供することを目的とするものである。
【０００６】
【課題を解決するための手段】
上記の目的を達成するため、本発明の噴射式注射器セットは、薬液を噴射するジェット噴射口を注射器先端部の突端に備えた噴射式の針無注射器と、注射する薬液を入れてある薬液バイアルを装填保持する容器ホルダーとからなり、前記容器ホルダーには、隔壁をはさんで並設された、薬液バイアル全体を収容する容器収容室と、注射器先端部が嵌まり込む注射器嵌合室と、前記薬液バイアルの薬液を貯留しておく副室と、嵌合された針無注射器のジエット噴射口と副室に通じる細孔通路が形成されるとともに、前記薬液バイアルの薬液を前記副室に供給する中空針が設けられている。
【０００７】
また、本発明の噴射式注射器セットは、セット薬液を噴射するジェット噴射口を注射器先端部の突端に備えた噴射式の針無注射器と、注射する薬液を貯留しておく容器ホルダーとからなり、前記容器ホルダーには、前記注射器先端部が嵌まり込む注射器嵌合室と、隔壁をはさんで前記注射器嵌合室の上部に配設された薬液を貯留しておく薬液貯留室と、嵌合された針無注射器のジェット噴射口と前記薬液貯留室に通じる細孔通路が形成されている。
【０００８】
そして、また本発明の噴射式注射器セットは、薬液を噴射するジェット噴射口を注射器先端部の突端に備えた噴射式の針無注射器と、注射する薬液を入れてある薬液バイアルを装填保持する容器ホルダーとからなり、前記針無注射器と容器ホルダーは、ちょうつがいで折畳み可能なように形成されている。
【０００９】
本発明の噴射式注射器セットは上記のように構成されており、収納したときの全長は短く、持ち運びが容易な噴射式注射器セットを提供することができる。
【００１０】
【発明の実施の形態】
以下、本発明の第一実施例を図面を参照しながら説明する。図１は第一実施例の噴射式注射器セットの針無注射器の先端部まわり及び容器ホルダーの縦断面図、図２は第一実施例に係わる針無注射器の外観を示す平面図である。
【００１１】
第一実施例の噴射式注射器セットは、図１および図２に示すように、薬液をジェット噴射する針無注射器１と、注射する薬液を入れてある薬液バイアル（薬液容器）３０を保持するキャップ状の容器ホルダー３とからなる。
【００１２】
前記針無注射器１は、図１に示すように、吸引された薬液が入る注射液室（シリンダ室）５の先端側がオリフィス６になっていて、注射器先端部７の突端に直径１５０μｍ程度のジェット噴射口８が開いている。一方、注射液室５の内部は、往復摺動できるようにしてピストン９が配設されており、薬液を吸引する時はピストン９が引き下げられ、逆に薬液を噴射する時はピストン９が急激に押し上げられる通常の針無注射器と同様の薬液噴射構造となっている。
【００１３】
ピストン９を引き下げる場合、図２に示す第１グリップＧＡを持って、第２グリップＧＢを回転操作し所望の吸引量を示す目盛りに合わせる。ピストン９を押し上げる場合は、注射器末端のリリースボタンＢＴを押す。リリースボタンＢＴが押されると内部の圧縮バネの圧力またはガスの圧力によってピストン９が急激に押し上げられて注射液室５の内の薬液がジェット噴射口８から勢いよくジェット噴射される。
【００１４】
前記容器ホルダー３には、薬液バイアル３０の全体が納められる内部形状を有する容器収容室１０と、注射器先端部７が嵌まり込める内部形状の注射器嵌合室１１とが隔壁１２をはさんで並設されるとともに、容器収容室１０と注射器嵌合室１１の上部に薬液を貯留しておく副室１３が形成されている。容器収容室１０の下端（開口１４）は、薬液バイアル３０の出入れのために、また、注射器嵌合室１１の下端（開口１５）は、注射器先端部７の出入れのために開口している。そして、容器収容室１０の開口１４には、取り外し可能な蓋１６が装着されている。この蓋１６は、その内周面に設けられたネジ山１６ａと開口１４の外周面に設けられたネジ山１４ａとからなるネジ結合構造によって取り外し可能に装着されている。注射器嵌合室１１の開口１５には、後述するように針無注射器１の先端部が装着されて閉塞される構造になっているので専用の蓋は必ずしも必要ではないが、専用の蓋で開口１５を閉塞できるようにしてもよい。容器ホルダー３の材質としては、アクリル樹脂やポリカーボネイト樹脂などの透明性のあるプラスチック製のものが、装填中の薬液バイアル３０の薬液残存量が外側から一目でわかるので好ましい。
【００１５】
前記副室１３の左方側の底部１３ａは、図１に示すように薬液が集まるように底部が小さくなっており、右方側の底部１３ｂより低くなるように形成され、底部１３ａより注射器嵌合室１１の先端面まで薬液流路１７が形成されるとともに、底部１３ｂより容器収容室１０の内部に先端を下方にして中空針１８が貫通している。
【００１６】
前記注射器嵌合室１１には、嵌まり込んだ注射器先端部７の突端をぴったり受け止める受当て面１９がゴム部材２１で形成されていて、ゴム部材２１の弾性により注射器先端部７の突端と受当て面１９が、すき間の無い状態でぴったり密接するようになっている。前記ゴム部材２１に形成された細孔２１ａを通して、針無注射器１のジェット噴射口８は、前記薬液流路１７と繋がっている。
【００１７】
この第一実施例の噴射式注射器セットでは、注射器先端部７が注射器嵌合室１１に嵌まり込んで、注射器先端部７の突端が受当て面１９に押し当てられるようにして分離可能に連結するネジ結合構造が、針無注射器１と容器ホルダー３の間に設けられている。すなわち、図１に示すように、注射器先端部７の外周面に設けられたネジ山７ａと、注射器嵌合室１１の開口１５側内周面に設けられたネジ山１５ａによるネジ結合構造が設けられていて、注射器先端部７を注射器嵌合室１１にネジ込めば、注射器先端部７が注射器嵌合室１１の奥に前進していき注射器先端部７の突端が受当て面１９に押し当てられた状態で針無注射器１と容器ホルダー３が連結し、逆にネジを緩めれば、注射器先端部７が注射器嵌合器１１から後退して来て針無注射器１と容器ホルダー３が分離される構成となっている。
【００１８】
次に第一実施例の噴射式注射器セットの使用形態について具体的に説明する。先ず図１に示すように、注射器嵌合室１１に針無注射器１を押し込んだ状態で、第１グリップＧＡを右方向に回転させ、さらにその回転が止まるところまで針無注射器を押し込む。これにより、針無注射器１の注射器先端部７は、容器ホルダー３の受当て面１９に密着した状態となる。
【００１９】
次いで、図３に示すように容器ホルダー３を、開口１４、１５が上側（副室１３が下側）となるよう上下を逆にし、容器収容室１０の蓋１６を取り外した後、薬液バイアル３０の口を塞いでいるゴム栓３１を中空針１８の先端１８ａに向けた状態で、薬液バイアル３０を容器収容室１０の中に中空針１８がゴム栓３１の中程まで刺し込まれるように押し込む。そして、蓋１６をネジ込みながら薬液バイアル３０をさらに押し込んでいく。蓋１６がネジ込めなくなると、蓋１６が取り付けられると同時に薬液バイアル３０が容器収容室１０にぴったりとガタ付かない状態で装填保持される。この状態では、薬液バイアル３０の全体が容器収容室１０内に納まっており、薬液バイアル３０が直接物に当たることがなく、中空針１８が曲がったりするなどの心配がない。
【００２０】
薬液バイアル３０を装填した状態を保持すると、最終的に、薬液バイアル３０内の薬液ＬＢは、徐々に副室１３内に徐々に流入するとともに、副室１３内の空気２５は圧縮されて副室１３の上方に集まる。そして、圧縮空気の圧力と副室１３内の薬液ＬＢに加わる荷重とがバランスする量の薬液ＬＢが副室１３内に貯留される。
【００２１】
次に、図１、図２を参照しながら皮下注射の実行について説明する。図３に示した状態の容器ホルダー３を図１に示す状態、すなわち、開口１４、１５が上側（副室１３が下側）となるよう上下を逆にし、針無注射器１の第２グリップＧＢを反時計方向に回して副室１３内の薬液ＬＢの必要量を吸引した後、針無注射器１の第１グリップＧＡを掴んで反対に回転してネジを緩め、針無注射器１を容器ホルダー３から分離する。そして、針無注射器１の注射器先端部７を注射箇所に当てておき、リリースボタンＢＴを押すと、ピストン９が押し上げられて薬液がジェット噴射口８から噴射されて患者の体に注入される。
【００２２】
次いで、第一実施例の噴射式注射器セットの保管の仕方を説明する。注射が済めば、針無注射器１の第１グリップＧＡを掴んで、図１に示すように、針無注射器１を注射器先端部７の突端が受当て面１９に押し当てられるまで注射器嵌合室１１に再びネジ込み、針無注射器１と容器ホルダー３を連結状態に戻す。後はそのままの状態で保管する。注射器先端部７の突端は受当て面１９に強く押し当てられているので、密閉状態が保たれ薬液バイアル３０から薬液ＬＢが漏れることはない。また、注射を行う都度、針無注射器１の注射器先端部７をアルコールの付いた脱脂綿で消毒することにより、受当て面１９も常は清潔な状態に保たれる。
【００２３】
上記のように、針無注射器１と容器ホルダー３が適切な状態で一体保管されとともに、全体長が短くなることにより携帯が容易となり、携帯される場合も常に針無注射器１と容器ホルダー３の一方を忘れること無く、両方が必ずセットで持ち運ばれることになり、糖尿病患者のようにインシュリンを日常的に打つ場合に特に好適であると言える。容器ホルダー３は繰り返し使用することができるが、薬液バイアル３０が空になった時、容器ホルダー３ごと廃棄するようにすると衛生的であり、取り扱いも楽である。
【００２４】
図４は、本発明の第二実施例による噴射式注射器セットの針無注射器の先端まわり及び容器ホルダーを示す縦断面図である。第二実施例の噴射式注射器セットは、薬液をジェット噴射する針無注射器１と、注射する薬液ＬＢを入れておくキャップ状の容器ホルダー４とから構成されている。
【００２５】
前記容器ホルダー４には、針無注射器１が嵌まり込む内部形状の注射器嵌合室１１と、その上部に薬液を貯留しておくための薬液貯留室２２と、この薬液貯留室２２内の薬液ＬＢを前記注射器嵌合室１１へ流入させるための薬液流路１７と、前記薬液貯留室２２に薬液ＬＢを供給するための薬液供給口２３及び密閉栓２４が設けられている。
【００２６】
次に、第二実施例の噴射式注射器セットの使用形態について説明する。針無注射器１に薬液を吸入するには、第１実施例の場合と同様に、容器ホルダー４の注射器嵌合室１１に針無注射器１を差し込み、第１グリップＧＡを回転してネジ込み固定する。そして、密閉栓２４を取り外した後、薬液バイアル３０の薬液を一旦通常の針付注射器に吸入した後、この針付注射器の注射針を薬液供給口２３に挿入して薬液ＬＢを注入し、密閉栓２４を取り付ける。そして、第２グリップＧＢを回転して所定の薬液量を吸入し、第１グリップＧＡを回して針無注射器１を容器ホルダー４から取り外して、患部に注射する。針無注射器１は容器ホルダー４に固定したままで保管される。前記密閉栓２４は、注射の度に取外しする必要はなく、薬液貯留室２２の薬液ＬＢが無くなったときに、取り外しすればよい。
【００２７】
図５は、本発明の第三実施例による噴射式注射器セットの針無注射器及び容器ホルダーを示す縦断面図である。第三実施例の噴射式注射器セットは、薬液をジェット噴射する針無注射器１と、薬液バイアル３０を収納したキャップ状の容器ホルダー３１がちょうつがい３２で折り畳めるように構成されている。
【００２８】
前記容器ホルダー３１には、薬液供給口３４を密封できるように容器用キャップ３３が設けられている。また、針無注射器１の先端には、注射器先端部７をカバーするノズル用キャップ３５が設けられている。
【００２９】
次に、第三実施例の噴射器セットの使用形態について説明する。針無注射器１に薬液を吸入するには、図６に示すように、容器用キャップ３３とノズル用キャップ３５を外し、容器ホルダー３１を注射器先端部７に接続し、固定する。そして、第２グリップＧＢを回転して所定の薬液量を吸入する。次に図７に示すように、容器用キャップ３３で薬液供給口３４にフタをし、容器ホルダー３１を折り曲げて針無注射器１の注射器先端部７を注射箇所に当てがい患部に注射する。注射後は、図５のようにそれぞれキャップをし、針無注射器１と容器ホルダー３１は折り畳んだ状態で保管される。
【００３０】
本発明の噴射式注射器セットは、上記実施例の形態にのみ限定されるものではなく、例えば、針無注射器１に縦溝、注射器嵌合室１１に縦突起物を設けて嵌合して結合したり、第２実施例の薬液供給口２３を無くし、針無注射器１を外して薬液流路１７側から薬液を注入するなどの変形実施が可能である。
【００３１】
【発明の効果】
以上述べたように、この発明の噴射式注射器セットによれば、針無注射器を収納したときの全長が短く、持ち運びの容易な噴射式注射器セットを提供することが可能となる。また、本実施例１、２においては、針無注射器と容器ホルダーの間に連結構造が設けられていて、針無注射器は、実際に皮下注射を実行する極く僅かな時間の他は、針無注射器と薬液容器とが連結状態にあって必ず一緒に存在し、本実施例３においても針無注射器および薬液容器を常に一体管理することが可能となり、操作性も向上する。また、本実施例１、２においては、保管時は常に薬液にノズル穴は浸されており、ノズル穴の目づまりを生じることも防げる。
【図面の簡単な説明】
【図１】第一実施例の噴射式注射器セットの縦断面図である。
【図２】第一実施例に係わる針無注射器の外観図である。
【図３】第一実施例の容器ホルダーへの薬液バイアルの装填状態を示す断面図である。
【図４】第二実施例の噴射式注射器セットの縦断面図である。
【図５】第三実施例の噴射式注射器セットの収納時の縦断面図である。
【図６】第三実施例の噴射式注射器セットの薬液取り込み時の縦断面図である。
【図７】第三実施例の噴射式注射器セットの注射時の縦断面図である。
【図８】従来の噴射式注射器セットの縦断面図である。
【符号の説明】
１  針無注射器
３  容器ホルダー
５  注射液室
６  オリフィス
７  注射器先端部
７ａ  ネジ山
８  ジェット噴射口
９  ピストン
１０  容器収容室
１１  注射器嵌合室
１１ａ  ネジ山
１２  隔壁
１３  副室
１３ａ、１３ｂ  底部
１４  開口
１５  開口
１５ａ  ネジ山
１６  蓋
１６ａ  ネジ山
１７  薬液流路
１８  中空針
１９  受当て面
２０  隔壁
２１  ゴム部材
２１ａ  細孔
ＬＢ  薬液
【図１】
2004321579.tif 000003
【図２】
2004321579.tif 000004
【図３】
2004321579.tif 000005
【図４】
2004321579.tif 000006
【図５】
2004321579.tif 000007
【図６】
2004321579.tif 000008
【図７】
2004321579.tif 000009
【図８】
2004321579.tif 000010